(57)【要約】【課題】加熱手段からミスト用給湯路を介して供給される温水を浴室内にミスト状に噴出するミストノズルを有する浴室ミスト装置用の噴霧ヘッドにおいて、ミスト噴出方向の修正作業を容易に行い得られるようにする。【解決手段】ミスト用給湯路を構成する配管部材を接続する流入管部７１と、その先端に設けられたブロック状のヘッド部７２とを有するノズルホルダ７０を備え、ヘッド部７２にミストノズル７３をノズル孔の孔軸が流入管部７１の軸線に斜交するように装着する。ヘッド部７２の基端に径方向外方に張り出すフランジ部７２ａを形成し、浴室の壁面１ａとの間にフランジ部７２ａを挟み込むようにして該壁面１ａにねじ止めされる環状の押え部材７４を設ける。【選択図】図４
2006055317.tif 000002
【特許請求の範囲】
【請求項１】
加熱手段からミスト用給湯路を介して供給される温水を浴室内にミスト状に噴出するミストノズルを有する浴室ミスト装置用の噴霧ヘッドにおいて、
ミスト用給湯路を構成する配管部材を接続する流入管部と、流入管部の先端に設けられたブロック状のヘッド部とを有するノズルホルダを備え、ヘッド部にミストノズルをノズル孔の孔軸が流入管部の軸線に斜交するように装着すると共に、ヘッド部の流入管部側の基端に径方向外方に張り出すフランジ部を形成し、噴霧ヘッドを取り付けるべき浴室の壁面との間にフランジ部を挟み込むようにして該壁面にねじ止めされる環状の押え部材を設けることを特徴とする浴室ミスト装置用噴霧ヘッド。
【請求項２】
前記流入管部は、前記ヘッド部に連続する先端側の半部と、前記配管部材の接続部を有する尾端側の半部とに２分割され、先端側の半部に尾端側の半部が回動自在に嵌合されることを特徴とする請求項１記載の浴室ミスト装置用噴霧ヘッド。
【発明の詳細な説明】
【技術分野】
【０００１】
本発明は、浴室内に温水ミストを噴出してサウナ効果を得られるようにした浴室ミスト装置用の噴霧ヘッドに関する。
【背景技術】
【０００２】
この種の浴室ミスト装置は、ミストノズルを有する噴霧ヘッドを浴室に配置し、加熱手段で加熱された温水をミスト用給湯路を介して噴霧ヘッドに供給し、浴室内にミストノズルから温水をミスト状に噴出させるように構成されている。
【０００３】
そして、噴霧ヘッドとして、従来、温水ミストの噴出方向を可変できるように、ミストノズルを球面ジョイントを介してヘッドケースに首振り自在に取り付けたものが知られている（例えば、特許文献１参照）。然し、このものでは、球面ジョイントを用いるため、構造が複雑でコストが高くなる。
【０００４】
ここで、低コストの噴霧ヘッドとして、ミスト用給湯路を構成する配管部材を接続する流入管部と、流入管部の先端に設けられたブロック状のヘッド部とを有するノズルホルダを備え、ヘッド部にミストノズルをノズル孔の孔軸が流入管部の軸線に斜交するように装着すると共に、ヘッド部の流入管側の基端にフランジ部を形成し、噴霧ヘッドを取り付けるべき浴室の壁面にノズルホルダをフランジ部においてねじ止めするようにしたものが考えられる。これによれば、ノズルホルダを流入管部の軸線回りに回動すると、この軸線に斜交するミストノズルのノズル孔の向きが変化する。従って、ミストノズルのノズル孔が所望の方向を向くようにノズルホルダの位相を決めて、壁面にフランジ部をねじ止めすることにより、所望の方向に温水ミストを噴出させることができる。
【０００５】
然し、このものでは、噴霧ヘッドの設置後に温水ミストの噴出方向の修正が必要となった場合、フランジ部の止めねじを一旦外し、ノズルホルダの位相を修正してフランジ部を壁面に再度ねじ止めすることが必要になり、作業が面倒になる。特に、浴室では、壁内への蒸気の侵入を防止するため、止めねじにシール剤を塗布する必要があり、止めねじを一旦外すと、止めねじにシール剤を再塗布せざるを得ず、作業が非常に面倒になる。
【特許文献１】特開２００３−４６２号公報（００１４、図３）
【発明の開示】
【発明が解決しようとする課題】
【０００６】
本発明は、以上の点に鑑み、温水ミストの噴出方向の修正作業を簡便に行い得られるようにした構造簡単で安価な浴室ミスト装置用噴霧ヘッドを提供することをその課題としている。
【課題を解決するための手段】
【０００７】
上記課題を解決するため、本発明は、加熱手段からミスト用給湯路を介して供給される温水を浴室内にミスト状に噴出するミストノズルを有する浴室ミスト装置用の噴霧ヘッドにおいて、ミスト用給湯路を構成する配管部材を接続する流入管部と、流入管部の先端に設けられたブロック状のヘッド部とを有するノズルホルダを備え、ヘッド部にミストノズルをノズル孔の孔軸が流入管部の軸線に斜交するように装着すると共に、ヘッド部の流入管部側の基端に径方向外方に張り出すフランジ部を形成し、噴霧ヘッドを取り付けるべき浴室の壁面との間にフランジ部を挟み込むようにして該壁面にねじ止めされる環状の押え部材を設けることを特徴とする。
【０００８】
上記の構成によれば、押え部材を壁面にねじ止めすることで、フランジ部が壁面と押え部材との間に挟圧固定され、ノズルホルダ（噴霧ヘッド）が壁面に固定的に設置される。そして、押え部材の止めねじを若干緩めてフランジ部の挟圧を解除すれば、ノズルホルダを回動してその位相を修正できる。従って、止めねじを外さずに噴霧ヘッドの設置後のノズルホルダの位相修正作業、即ち、温水ミストの噴出方向の修正作業を行うことができるようになり、止めねじにシール剤を再塗布する必要もなく、修正作業が容易になる。
【０００９】
尚、ノズルホルダを回動すると、流入管部に接続されている配管部材が捩じられ、ノズルホルダの位相を修正した後、押え部材の止めねじの締め込みの作業のためにノズルホルダから手を離すと、配管部材の捩じり反力による復元トルクでノズルホルダが修正した位相から元の位相に回動復帰してしまう。従って、ノズルホルダを手で押えた状態で止めねじの締め込み作業を行わねばならず、作業が面倒になる。この場合、流入管部を、ヘッド部に連続する先端側の半部と、配管部材の接続部を有する尾端側の半部とに２分割し、先端側の半部に尾端側の半部を回動自在に嵌合させておけば、ノズルホルダを回動しても、流入管部の先端側の半部と尾端側の半部との相対回転により、尾端側の半部に接続される配管部材は捩じられない。従って、ノズルホルダの位相を修正した後、ノズルホルダから手を離してもノズルホルダは修正した位相に留まり、押え部材の止めねじの締め込み作業に際しノズルホルダを手で押えておく必要がなく、作業が容易になる。
【発明を実施するための最良の形態】
【００１０】
図１を参照して、１は浴室、２は浴槽であり、浴室１の天井裏には、浴室暖房装置３が配置されている。浴室暖房装置３は、屋外等に配置した熱源機４に往き管５ａ及び戻り管５ｂから成る暖房用循環路５を介して接続される放熱器（図示せず）を内蔵しており、放熱器に熱源機で加熱された温水を循環させ、浴室１内の空気を循環させつつ放熱器により加熱して、浴室１の暖房を行うように構成されている。尚、熱源機４は、給湯機能も有する複合熱源機であって、給水路６から供給される水を加熱して、図示省略したカランやシャワーヘッド等の出湯端末に給湯する。
【００１１】
また、浴室１の天井部といった適所の壁面１ａには、噴霧ヘッド７が配置されている。そして、ミスト用加熱ユニット８で加熱された温水をミスト用給湯路９を介して噴霧ヘッド７に供給し、浴室１内に温水をミスト状に噴出して、サウナ効果を得られるようにしている。
【００１２】
ミスト用加熱ユニット８は、図２に示す如く、プレート式の液々熱交換器１０を備えている。この液々熱交換器１０の一次側の加熱パイプ１０ａは、暖房用循環路５に並列の往き管１１ａ及び戻り管１１ｂから成るバイパス循環路１１を介して熱源機４に接続されており、熱源機１０で所定の高温（例えば、８０℃）に加熱された湯がバイパス循環路１１を介して加熱パイプ１０ａに循環される。また、液々熱交換器１０の２次側の吸熱パイプ１０ｂの上流側と下流側には、夫々、熱源機４に接続される給水路６の分岐路６ａとミスト用給湯路９とが接続され、吸熱パイプ１０ｂに流れる水が加熱パイプ１０ａに流れる高温湯の熱で加熱され、ミスト用給湯路９を介して噴霧ヘッド７に供給される。
【００１３】
バイパス循環路１１には、加熱パイプ１０ａに流れる高温湯の流量を調節する流量制御弁１２が介設されており、また、ミスト用給湯路９の上流端部には電磁開閉弁から成るミスト弁１３が介設され、更に、吸熱パイプ１０ｂで加熱された湯水の温度を検出する出湯温センサ１４が設けられている。これら流量制御弁１２とミスト弁１３はミスト用加熱ユニット８に設けたマクロコンピュータから成るコントローラ１５で後記詳述する如く制御される。コントローラ１５には、出湯温センサ１４からの信号が入力されると共に、浴室１内に設置したリモコン１６からの信号が入力される。
【００１４】
リモコン１６は、浴室１内に噴霧ヘッド７から温水ミストを噴出させる状態での運転（ミスト運転）を指示するＨＯＴスイッチ１６ａと、浴室１内に噴霧ヘッド７から冷水ミストを噴出させる状態での運転（クールダウン運転）を指示するＣＯＬＤスイッチ１６ｂと、噴霧ヘッド７に供給する湯水の温度を設定するための温度スイッチ１６ｃと、アップダウンスイッチ１６ｄと、表示部１６ｅとを備えている。そして、ＨＯＴスイッチ１６ａを押したときに、表示部１６ｅにミスト運転の標準設定時間を表示し、アップダウンスイッチ１６ｄの操作で設定時間を変更できるようにし、また、温度スイッチ１６ｃを押したとき、噴霧ヘッド７に供給する湯水の標準設定温度を表示部１６ｅに表示し、アップダウンスイッチ１６ｄの操作で設定温度を変更できるようにしている。
【００１５】
噴霧ヘッド７は、図３及び図４に示す如く、ミスト用給湯路９を構成する配管部材を接続する直状の流入管部７１と、流入管部７１の先端に設けられたブロック状のヘッド部７２とを有するノズルホルダ７０と、ノズルホルダ７０のヘッド部７２に装着した複数、例えば、２個のミストノズル７３，７３とを備えている。両ミストノズル７３，７３は、ヘッド部７２の周方向に９０°の位相差を存して、各ミストノズル７３のノズル孔７３ａの孔軸が流入管部７１の軸線に斜交するように、ヘッド部７２にねじ込み方式で固設されている。
【００１６】
ヘッド部７２の流入管部７１側の基端には、流入管部７１の軸線に直交する面に沿って径方向外方に張り出すフランジ部７２ａが形成されている。そして、噴霧ヘッド７を取り付けるべき浴室１の壁面１ａに、流入管部７１用の貫通孔１ｂを形成し、フランジ部７２ａを壁面１ａに当接させるようにしている。ここで、ノズルホルダ７０を流入管部７１の軸線回りに回動すると、この軸線に斜交するミストノズル７３のノズル孔７３ａの向きが変化する。噴霧ヘッド７を設置する際は、ミストノズル７３のノズル孔７３ａが所望の方向を向くようにノズルホルダ７０の位相を決めるが、噴霧ヘッド７の設置後にミストノズル７３から実際に温水ミストを噴出させたときに、ミスト噴出方向が所望の方向に合致せず、ノズルホルダ７０の位相の修正が必要になることが間々ある。
【００１７】
この場合、フランジ部７２ａを浴室壁面１ａに直接ねじ止めしておくと、フランジ部７２ａの止めねじを一旦外し、ノズルホルダ７０の位相修正後にフランジ部７２ａを浴室壁面１ａに再度ねじ止めすることが必要になる。そして、再度のねじ止めに際し、止めねじにシール剤を再塗布することが必要になり、ノズルホルダ７０の位相修正作業、即ち、ミスト噴出方向の修正作業が非常に面倒になる。
【００１８】
そこで、本実施形態では、フランジ部７２ａのヘッド部７２側の外面に係合可能な環状の押え部材７４を設け、押え部材７４に形成した取付け孔７４ａを通して止めねじ７４ｂを浴室壁面１ａにねじ込み、フランジ部７２ａを浴室壁面１ａとの間に挟み込むようにして押え部材７４を浴室壁面１ａにねじ止めすることにより、該壁面１ａにノズルホルダ７０を固定している。これによれば、止めねじ７４ｂを若干緩めてフランジ部７２ａの挟圧を解除するだけで、ノズルホルダ７０を回動してその位相を修正できる。従って、止めねじ７４ｂを外さずにミスト噴出方向の修正作業を行うことができるようになり、止めねじ７４ｂにシール剤を再塗布する必要もなく、修正作業が容易になる。
【００１９】
また、本実施形態では、流入管部７１をヘッド部７２に連続する先端側の半部７１ａと尾端側の半部７１ｂとに２分割し、尾端側の半部７１ｂに配管部材用の接続部７１ｃを形成している。尾端側の半部７１ｂの先端部は、その外周にＯリング７１ｄを装着した状態で先端側の半部７１ａに回動自在に嵌合される。これによれば、ノズルホルダ７０を回動しても、流入管部７１の先端側の半部７１ａと尾端側の半部７１ｂとの相対回転により、尾端側の半部７１ｂに接続される配管部材は捩じられず、ノズルホルダ７０に配管部材の捩じり反力による復元トルクは作用しない。従って、ノズルホルダ７０の位相を修正した後、ノズルホルダ７０から手を離しても、ノズルホルダ７０は修正した位相に留まり、押え部材７４の止めねじ７４ｂの締め込み作業に際しノズルホルダ７０を手で押えておく必要がなく、作業が容易になる。
【００２０】
また、噴霧ヘッド７は、ミスト用給湯路９からミストノズル７３への湯水の流れを許容する逆止弁７５を内蔵している。本実施形態で逆止弁７５は、流入管部７１の先端側の半部７１ａ内に装着されている。これを詳述するに、逆止弁７５は、流入管部７１の先端側の半部７１ａに内嵌させた筒状のケース７５ａと、ケース７５ａの内周のテーパー状の弁座部７５ｂに着座可能な弁体７５ｃと、弁体７５ｃを軸方向に移動自在に支持するガイド７５ｄと、弁体７５ｃを軸方向尾方に付勢して弁座部７５ｂに着座させるばね７５ｅとで構成されている。
【００２１】
これによれば、ミスト用給湯路９から湯水が供給されると、弁体７５ｃがばね７５ｅの付勢力に抗して軸方向先方に押動され、逆止弁７５が開弁状態になって、ミストノズル７３に向けて湯水が流れるが、ミスト用給湯路９からの湯水の供給が停止されると、弁体７５ｃがばね７５ｅの付勢力で弁座部７５ｂに着座し、逆止弁７５が閉弁状態になる。そのため、ミスト運転停止時にミストノズル７３のノズル孔７３ａから外界空気が侵入しても、ミスト用給湯路９内の滞留水と外界空気との接触が逆止弁７５によって阻止されるため、滞留水に外界空気から菌等が混入することがなく、滞留水中での菌の繁殖等が防止される。従って、ミスト運転開始時に汚染された水が噴霧されることを防止できる。また、滞留水中での菌の繁殖等を防止するために、ミスト用給湯路９内の滞留水を排水する必要がないため、排水時の異音も発生せず、有利である。
【００２２】
尚、噴霧ヘッド７は、ヘッド部７２を覆う半球面状のカバー７６を備えており（図３では省略）、カバー７６に一対に形成した各透孔７６ａに各ミストノズル７３が臨むようにしている。カバー７６は、その基端の爪部７６ｂで押え部材７４に着脱自在に係止される。
【００２３】
次に、ミスト用加熱ユニット８のコントローラ１５によるミスト運転時の制御について図５を参照して説明する。コントローラ１５は、リモコン１６のＨＯＴスイッチ１６ａがオンされると（Ｓ１）、熱源機４に対し作動指令を出して、バイパス循環路１１に高温湯を循環させると共に（Ｓ２）、コントローラ１５に内蔵する遅延タイマをリセットしてスタートさせる（Ｓ３）。また、ＨＯＴスイッチ１６ａのオン後に、アップダウンスイッチ１６ｄを操作してミスト運転の設定時間の変更操作を行い、或いは、温度スイッチ１６ｃを押して噴霧ヘッド７に供給する湯水の設定温度の変更操作を行ったときは（Ｓ４）、Ｓ３のステップに戻って遅延タイマを再度リセットしてスタートさせる。
【００２４】
そして、遅延タイマがタイムアップしたとき（Ｓ５）、ミスト弁１３を開弁させ（Ｓ６）、噴霧ヘッド７への温水の供給を開始する。かくして、噴霧ヘッド７への温水の供給時期は、リモコン１６の操作（時間や温度の設定変更操作を含む）が行われた時点から常に遅延タイマで定められる一定時間遅れることになる。この一定時間は、ユーザが浴室１内のリモコン１６を操作してから浴室１外に余裕を持って退避できるような時間（例えば、１０秒）に設定されている。従って、入浴前に温水ミストの噴出で浴室を予め暖房しておくことを望むユーザが服を着たまま浴室１に入ってリモコン１６を操作しても、浴室１外に退避する前にミストが噴出されて服が濡れるようなことは確実に防止される。
【００２５】
ミスト弁１３の開弁後は、噴霧ヘッド７に供給される湯水の温度を設定温度に保つ温調制御を実行する（Ｓ７）。温調制御では、流量制御弁１２を制御対象とし、バイパス循環路１１に循環させる高温湯の流量、即ち、液々熱交換器１０における加熱量を出湯温センサ１４の検出温度と設定温度との偏差に基づいて変化させる。尚、バイパス循環路１１に循環させる高温湯の温度は、熱源機４によって一定に制御される。その後、ミスト運転の設定時間が経過したとき（Ｓ８）、熱源機４に停止指令を出して、バイパス循環路１１での高温湯の循環を停止させると共に（Ｓ９）、ミスト弁１３を閉弁させ（Ｓ１０）、ミスト運転を完了する。
【００２６】
尚、上記実施形態では、噴霧ヘッド７に供給する湯水を加熱する加熱手段を液々熱交換器１０で構成しているが、加熱手段を給湯用の熱源機で構成し、熱源機で加熱された湯水を噴霧ヘッド７に供給することも可能である。
【図面の簡単な説明】
【００２７】
【図１】実施形態のミスト装置の全体構成を示す説明図。
【図２】図１のミスト装置のミスト用加熱ユニットの構成を示す説明図。
【図３】実施形態の噴霧ヘッドの斜視図。
【図４】図３のＩＶ−ＩＶ線で切断した噴霧ヘッドの切断面図。
【図５】ミスト運転時の制御を示すフロー図。
【符号の説明】
【００２８】
１…浴室、１ａ…浴室壁面、７…噴霧ヘッド、７０…ノズルホルダ、７１…流入管部、７１ａ…流入管部の先端側半部、７１ｂ…流入管部に尾端側半部、７１ｃ…接続部、７２…ヘッド部、７２ａ…フランジ部、７３…ミストノズル、７４…押え部材、９…ミスト用給湯路、１０…液々熱交換器（加熱手段）。
【図１】
2006055317.tif 000003
【図２】
2006055317.tif 000004
【図３】
2006055317.tif 000005
【図４】
2006055317.tif 000006
【図５】
2006055317.tif 000007